(57)【特許請求の範囲】
【請求項１】
静磁界を生成するように構成される、臨界温度をもつ超電導ワイヤの少なくとも１つのコイル巻線であって、前記少なくとも１つのコイル巻線は、静磁界を生成するコイル巻線であり、前記少なくとも１つのコイル巻線を前記臨界温度より低い温度にし、その温度に維持するよう構成される極低温冷却装置のコールドヘッドとの熱伝導接触を確立するように構成される、少なくとも１つのコイル巻線と、
或るヘリウム量を永久的に収容する少なくとも１つの気密コンテナであって、前記気密コンテナは、流体隔離されており、少なくとも１つの動作状態において前記少なくとも１つのコイル巻線から熱エネルギーを受け取るために、前記少なくとも１つのコイル巻線に接触して当該コイル巻線と熱伝導する、少なくとも１つの気密コンテナと、
を有する、超電導磁石装置。
【請求項２】
前記少なくとも１つのコイル巻線とは別であり及び臨界温度をもつ少なくとも１つの超電導部材を更に有し、前記少なくとも１つの気密コンテナが、前記少なくとも１つの動作状態において熱エネルギーを受け取るために前記少なくとも１つの超電導部材と接触して熱伝導する、請求項１に記載の超電導磁石装置。
【請求項３】
或るヘリウム量を永久的に収容する少なくとも２つの気密コンテナを有し、
２つの前記気密コンテナのうち一方の気密コンテナが、少なくとも１つの動作状態において前記少なくとも１つのコイル巻線から熱エネルギーを受け取るために前記少なくとも１つのコイル巻線と接触して熱伝導し、
２つの前記気密コンテナうち他方の気密コンテナが、少なくとも１つの動作状態において前記少なくとも１つの超電導部材から熱エネルギーを受け取るために、少なくとも１つの超電導部材と接触して熱伝導する、請求項１に記載の超電導磁石装置。
【請求項４】
前記少なくとも１つの気密コンテナに収容される前記ヘリウム量が、２５ｋｇ／ｍ３乃至３５ｋｇ／ｍ３のレンジにある、請求項１乃至３のいずれか１項に記載の超電導磁石装置。
【請求項５】
複数の気密コンテナを有し、前記複数の気密コンテナの各気密コンテナが、個別のヘリウム量を収容し、
前記気密コンテナは、前記少なくとも１つのコイル巻線、及び前記少なくとも１つのコイル巻線とは別個の少なくとも１つの超電導部材、のうちの少なくとも１つと接触して熱伝導する、請求項１乃至４のいずれか１項に記載の超電導磁石装置。
【請求項６】
前記少なくとも１つの気密コンテナ又は前記複数の気密コンテナの気密コンテナが軽量金属から実質的に作られている、請求項１乃至５のいずれか１項に記載の超電導磁石装置。
【請求項７】
前記複数の気密コンテナは、固体マトリクスと共に保持される、請求項１乃至６のいずれか１項に記載の超電導磁石装置。
【請求項８】
前記極低温冷却装置の少なくとも１つのコールドヘッドが、４Ｋの公称動作温度を有する、請求項１乃至７のいずれか１項に記載の超電導磁石装置。
【請求項９】
前記超電導ワイヤの少なくとも１つのコイル巻線が、前記少なくとも１つのコイル巻線を臨界温度より低い温度にし、その温度に維持するように構成される極低温冷却装置のコールドヘッドと熱伝導接触する、請求項１乃至８のいずれか１項に記載の超電導磁石装置。
【請求項１０】
磁気共鳴イメージングシステムの主磁石として使用される、請求項１乃至９のいずれか１項に記載の超電導磁石装置であって、前記磁気共鳴イメージングシステムの検査空間に静磁界を生成するよう構成される、超電導磁石装置。
【請求項１１】
関心のある被検体の少なくとも一部から磁気共鳴画像を取得するよう構成される磁気共鳴イメージングシステムであって、請求項１乃至９のいずれか１項に記載の超電導磁石装置を有する磁気共鳴イメージングシステム。
【発明の詳細な説明】
【技術分野】
【０００１】
本発明は、超電導磁石装置、及びこのような超電導磁石装置を有する磁気共鳴イメージングシステムに関する。
【背景技術】
【０００２】
超電導磁石の分野において、例えば液体ヘリウムのような極低温液体をほとんど又は少しも使わない冷却技術を用いることが知られている。このタイプの超電導磁石は、しばしば、「寒剤フリーな磁石」と呼ばれ、ヘリウムをほとんど含まない又はそれを消費しないという明らかな利点を有する。
【発明の概要】
【発明が解決しようとする課題】
【０００３】
しかしながら、極低温液体のリザーバが存在しないため、寒剤フリー磁石の熱バッファリング能力は、制限されている。米国特許第5410286号公報は、超電導ワイヤを有する磁石カートリッジと接触する熱バッファアセンブリを有する極低温冷却装置により冷却される超電導磁石を開示する。この既知の熱バッファアセンブリは、通過ガス充填／放出システムを通じて、Ｈｅソースに及び周囲空気に結合される。
【０００４】
極低温温度において改善された熱バッファ容量を有する寒剤フリーな超電導磁石を提供することが望ましい。
【課題を解決するための手段】
【０００５】
本発明の１つの見地において、目的は、静磁界を生成するように構成される、臨界温度をもつ超電導ワイヤの少なくとも１つのコイル巻線であって、少なくとも１つのコイル巻線を臨界温度より低い温度にし、その温度に維持するように構成される極低温冷却装置のコールドヘッドとの熱伝導接触を確立するように適応される、少なくとも１つのコイル巻線と、流体隔離において或るヘリウム量を永久的に収容する少なくとも１つの気密コンテナであって、少なくとも１つの動作状態において少なくとも１つのコイル巻線から熱エネルギーを受け取るために、少なくとも１つのコイル巻線と熱伝導接触する、少なくとも１つの気密コンテナと、を有する超電導磁石装置によって達成される。
【０００６】
「永久的に収容する」の語句は、本願発明において用いられるとき、特に、少なくとも１つの気密コンテナがいかなる種類の任意のベント設備も有さず、従って、充填後に、ヘリウム量が、気密コンテナの寿命の間、決して変更されないことが理解される。すなわち、ヘリウム量は、臨界温度より低い温度に超導電性ワイヤを冷却するために用いられる冷却液体（もしある場合）から流体隔離された気密コンテナ内にある。
【０００７】
例えば１０Ｋを下回る極低温温度において、ヘリウムガスの特定の熱容量（すなわち単位質量当たりの熱容量）は、ほとんどの金属の特定の熱容量より何桁も大きい（例えば、アルミニウムの場合、例えばファクタは４Ｋで約３０，０００である）。
【０００８】
室温に暖められると、ヘリウム量は、気密コンテナによって受容される必要がある過度の圧力をもたらす。例えば：
【０００９】
１ｋｇ／ｍ３のヘリウムの充填量は、３００Ｋにおいて６バールのガス圧をもたらし、４Ｋから５Ｋへの変化で５ｋＪ／ｍ３のエンタルピー変化をもたらす。４Ｋにおいて、充填量は、１００％ガスである。
１０ｋｇ／ｍ３のヘリウムの充填量は、３００Ｋで６４バールのガス圧力をもたらし、４Ｋから５Ｋへの変化で５０ｋＪ／ｍ３のエンタルピー変化をもたらす。４Ｋにおいて、充填量は、１００％ガスである。
【００１０】
１００ｋｇ／ｍ３のヘリウムの充填量は、３００Ｋで８６６バールのガス圧をもたらし、４Ｋから５Ｋへの変化で５００ｋＪ／ｍ３のエンタルピー変化をもたらす。４Ｋにおいて、充填量は、超臨界である。
【００１１】
こうして、適切な実施形態において、少なくとも１つの気密コンテナによって提供される追加の熱容量によって、ライドスルー時間の多くの量が、電力停止、極低温冷却装置の極低温液体の停止、極低温冷却装置メンテナンス、又は極低温冷却装置の回復可能な障害のようなイベントに関して達成されることができる。それによって、安全措置のような任意のイベントの発生時における静磁界のランプダウン、及び超電導磁石装置によって生成される、その後の時間のかかる静磁界のランプアップが、省かれることができる。
【００１２】
好適には、少なくとも１つの気密コンテナは、室温で５０バール乃至５００バールの圧縮ヘリウムガスの充填量と等価なヘリウム量を収容する。
【００１３】
更に、少なくとも１つの気密コンテナによって提供される追加の熱容量は、極低温冷却装置のコールドヘッドの冷却容量を一時的に越えることを可能にしうる。結果として、極低温冷却装置のコールドヘッドの冷却容量は、例えばコンポーネントの一時的な動作によって生成されるピーク熱負荷についてではなく、時定数にわたって平均される熱負荷について、設計されることができる。時定数は、少なくとも１つの気密コンテナの追加の熱容量、及び熱生成の起点から少なくとも１つの気密コンテナまでの経路上の熱伝導率によって決定される。このようにして、少なくとも１つのガスタイプコンテナを用いない場合よりも低い冷却容量をもつ極低温冷却装置が、同じ目的のために使用されることができる。
【００１４】
好適な実施形態において、超電導磁石装置は更に、少なくとも１つのコイル巻線とは異なる少なくとも１つの超電導部材を更に有し、かかる超電導部材は、臨界温度を有し、少なくとも１つの気密コンテナは、流体隔離され、少なくとも１つの動作状態において少なくとも１つの超電導部材から熱エネルギーを受け取るために少なくとも１つの超電導部材と熱伝導接触する。「超電導部材」の語句は、本願発明において用いられるとき、具体的には他の超電導コイル巻線、超電導ジョイント及び超電導スイッチをも含む。このようにして、付加の熱容量が、少なくとも１つのコイル巻線のために、及び、冷却に大きく依存する超電導磁石装置の別の超電導部材のために、提供されることができる。電力停止、極低温冷却装置の冷却液体の停止、極低温冷却装置メンテナンス、極低温冷却装置の回復可能な障害のような任意のイベント、又は少なくとも１つのコイル巻線及び別の超電導部材の超電導機能を危うくする任意の他のイベント、の発生時の静磁界のランプダウンを省くための他の安全マージンが、これによって達成されることができる。
【００１５】
他の好適な実施形態において、超電導磁石装置は、流体隔離された状態で或るヘリウム量を永久的に収容する少なくとも２つの気密なコンテナを有し、２つの気密コンテナのうち１つの気密コンテナは、少なくとも１つの動作状態において少なくとも１つのコイル巻線から熱エネルギーを受け取るために、少なくとも１つのコイル巻線と熱伝導接触し、２つの気密コンテナのうち他方の気密コンテナは、少なくとも１つの動作状態において少なくとも１つの超電導部材から熱エネルギーを受け取るために、少なくとも１つの超電導部材と熱伝導接触する。このようにして、提供される付加の熱容量は、個別のサイズをもつ少なくとも２つの気密コンテナに収容されるヘリウム量をそれぞれ変えることによって、超電導部材の超電導コイル巻線の個別の冷却要求に応じて具体的に設計されることができる。
【００１６】
別の好適な実施形態において、少なくとも１つの気密コンテナに収容されるヘリウム量、すなわち充填量は、２５ｋｇ／ｍ３乃至３５ｋｇ／ｍ３の間のレンジである。このレンジの充填量において、ガス圧力は、室温（約３００Ｋ）において約２００バールである。４．２Ｋの温度で、ガス圧力は、約１バールであり、気密コンテナは、液状及びガス状のヘリウム混合物を収容する。このようにして、熱容量のより大きい量が、液体ヘリウム量の潜在的な気化熱の利用により、提供されることができる。
【００１７】
更に他の好適な実施形態において、超電導磁石装置は、複数の気密コンテナを有し、複数の気密コンテナの各気密コンテナは、個別のヘリウム量を収容し、気密コンテナは、少なくとも１つのコイル巻線、及び少なくとも１つのコイル巻線とは異なる少なくとも１つの超電導部材、のうち少なくとも１つと熱伝導接触する。このようにして、超電導磁石装置のすべての超電導部材は、個別の冷却要件に基づいて、それらの臨界温度を下回る極低温温度において付加の熱容量を提供されることができる。電力停止、極低温冷却装置の冷却液体の停止、極低温冷却装置メンテナンス、極低温冷却装置の回復可能な障害の発生時の安全措置、又は同様の防御としての静磁界のランプダウンを省くために、他の安全マージンが達成されることができる。
【００１８】
好適には、少なくとも１つの気密コンテナ又は複数の気密コンテナのうちの幾つかの気密コンテナは、実質的に軽量金属から作られる。「実質的に」の語句は、本願発明において用いられるとき、具体的には５０％より多いものと理解される。それは、具体的には、気密コンテナが完全に軽量金属から作られる（最高１００％）例を更に含む。
【００１９】
「軽量金属」という語句は、本願発明において用いられるとき、特に５．０ｇ／ｃｍ３より少ない又はそれに等しい特定の質量密度、より好適には３．０ｇ／ｃｍ３より小さい又はそれに等しい質量密度を有する金属を包含することが理解される。軽量金属の例は、チタン及びその合金、純粋なアルミニウム、並びにマグネシウム、リチウム及びベリリウムの少なくとも１つを含むアルミニウム合金である。原理において、当業者に適しているようにみえる他の軽量金属が、気密コンテナの材料として用いられることができる。
【００２０】
別の実施形態において、複数の気密コンテナは、固体マトリクスによって保持される。一実施形態において、少なくとも１つの気密コンテナに収容されるヘリウム量は、複数の気密コンテナに分けられることができ、ヘリウム量の質量と、複数の気密コンテナの質量全体との比は、気密コンテナのサイズから独立している。その結果、複合材料は、例えば１０Ｋより低い極低温温度で非常に高い熱容量をもって得られることができる。更に、熱がより小さい厚さをもつ材料を通じて伝播するとき、より速い熱拡散係数が、このような複合材料によって達成されることができる。このような複合材料の別の利点は、超電導磁石装置が（ガス圧力及び容量をもつ製品ごとの）圧力容器規定に関するより低いカテゴリに入ることができるという点であり、それにより、安全規定に対応するための努力が、この点に関して低減されることができる。
【００２１】
一実施形態において、極低温冷却装置の少なくとも１つのコールドヘッドは、４Ｋの公称動作温度を有する。この公称動作温度に関する温度レジメにおけるヘリウムの特性と組み合わせて、効果的な熱バッファが、超電導磁石装置に提供されることができる。
【００２２】
本発明の別の見地において、開示される超電導磁石装置の１つ又はそれらの組み合わせの一実施形態が提供され、ここで、超電導ワイヤの少なくとも１つのコイル巻線は、少なくとも１つのコイル巻線を臨界温度より低い温度にし、その温度に維持するように構成される極低温冷却装置のコールドヘッドと熱伝導接触する。
【００２３】
一実施形態において、超電導磁石装置は、磁気共鳴イメージングシステムの主磁石として使用されるために提供され、磁気共鳴イメージングシステムの検査空間の静磁界を生成するよう構成される。
【００２４】
本発明の更に別の見地において、関心のある被検体の少なくとも一部から磁気共鳴画像を取得するように構成される磁気共鳴イメージングシステムが提供され、かかる磁気共鳴イメージングシステムは、開示される超電導磁石装置の１つ又はそれらの組み合わせの一実施形態を含む。
【００２５】
本発明のこれら及び他の見地は、以下に記述される実施形態から明らかになり、それらを参照して説明される。しかしながら、このような実施形態が、本発明の完全な範囲を必ずしも表現するわけではなく、本発明の範囲を解釈するために請求項及び本願明細書が参照される。
【図面の簡単な説明】
【００２６】
【図１】本発明による超電導磁石装置の概略的なセットアップを示す図。
【図２】図１による超電導磁石装置の詳細を示す概略図。
【図３】３０ｋｇ／ｍ３のヘリウム充填量を永久的に収容する気密コンテナにおける温度に対する圧力条件及びエンタルピーを示す図。
【図４】本発明による超電導磁石装置の代替実施形態を概略的に示す図。
【発明を実施するための形態】
【００２７】
図１は、本発明による超電導磁石装置１４を有する磁気共鳴イメージングシステム１０の概略部分図を示す。超電導磁石装置１４は、約９．２Ｋの臨界温度をもつ電気絶縁されたニオビウム−チタンを含む超電導ワイヤの４つの円形コイル巻線１６１−１６４（図２）を有する。４つのコイル巻線１６１−１６４は、共通の中心軸１８に対して垂直に配置される。超電導磁石装置１０は、磁気共鳴イメージングシステム１０の主磁石として使用されるように構成され、特に磁気共鳴イメージングシステム１０のスキャナユニット１２の検査空間２０内に静磁界Ｂ０を生成するよう構成され、磁気共鳴イメージングシステム１０は、関心のある被検体２２の少なくとも一部から磁気共鳴画像を取得するよう構成される。磁気共鳴イメージングシステム１０は更に、静磁界Ｂ０に重ねられる勾配磁界を生成するよう構成される磁気勾配コイルシステム２４を有する。
【００２８】
更に、磁気共鳴イメージングシステム１０は、円筒状の全身コイルとして設計される無線周波数アンテナ装置２８を有し、無線周波数アンテナ装置２８は、磁気共鳴イメージングの目的で関心のある被検体２２の核又は該被検体２２内の核を励起するために、無線周波数送信の時間期間中、磁気共鳴励起のために無線周波数励起磁界Ｂ１を関心のある被検体２２の核又は該被検体内２２内の核に適用するために提供される。この目的で、無線周波数パワーは、磁気共鳴イメージングシステム１０の制御ユニット２６によって制御され、送信／受信スイッチ３２を通じて無線周波数送信器３０から全身コイルに供給される。全身コイルは、中心軸を有し、動作状態において、全身コイルの中心軸及び超電導磁石装置の中心軸１８が一致するよう、全身コイルは、超電導磁石装置のボア内に同心に配置される。知られているように、円筒状金属無線周波数シールド３４が、磁気勾配コイルシステム２４と全身コイルの間に同心に配置される。
【００２９】
全身コイルは更に、無線周波数受信フェーズの間、送信される無線周波数磁界Ｂ１によって励起される関心のある被検体２２の一部の核又は該一部の中の核から磁気共鳴信号を受信するように提供される。受信された磁気共鳴信号は、全身コイルから送信／受信スイッチ３２を通じて制御ユニット２６の信号処理ユニットに伝送され、信号処理ユニットは更に、磁気共鳴イメージングシステム１０の他の機能を制御するように構成される。磁気共鳴イメージングシステム１０の動作状態において、無線周波数送信フェーズ及び無線周波数受信フェーズは、連続に行われる。
【００３０】
更に、磁気共鳴イメージングシステム１０は、関心のある被検体２２を支持し及び検査空間２０内に関心のある被検体２２を位置付ける患者テーブル３６を有する。磁気共鳴イメージングシステム１０のすべてのこれらのコンポーネントは、磁気共鳴イメージングの分野においてよく知られており、従ってより詳しくは説明されず、図面にも示されない。
【００３１】
図１及び図２によって詳細に示されるように、超電導磁石装置１４は更に、超電導ワイヤの４つのコイル巻線１６１−１６４とは別の超電導部材４２１−４２５、４４を有する。３つの超電導部材は、４つのコイル巻線１６１−１６４を電流が流れるための超電導経路を提供するように、４つのコイル巻線１６１−１６４の個別のコイル巻線の端部を接続する超電導ジョイント４２１−４２３として設計される。１つの超電導部材は、知られているように、すべての４つのコイル巻線１６１−１６４を通る、電源５２により供給される電流をランプアップした後、持続モードにおいて超電導磁石装置１４の超電導コイル巻線１６１−１６４を動作させることを可能にするように、更なる２つの超電導ジョイント４２４−４２５によって４つの超電導コイル巻線１６１−１６４に並列に電気接続される超電導スイッチ４４として設計される。超電導スイッチ及び超電導ジョイントは、乱れていない超電導ワイヤに対して超電導に関する特性を低下させていたことが知られており、従って、冷却に関して特に注意を必要とすることが知られている。
【００３２】
超電導ワイヤの４つのコイル巻線１６１−１６４は、磁気共鳴イメージングにおいて広く使われているGifford-McMahon（ＧＭ）タイプ（図２）の極低温冷却装置のステージのコールドヘッド３８と熱伝導接触する。ＧＭ極低温冷却装置は、超電導ワイヤの４つのコイル巻線１６１−１６４を、室温から、超電導ワイヤの臨界温度を良好に下回る４Ｋの公称動作温度まで下げ、この公称動作温度にそれらを維持するように、構成される。
【００３３】
更に、超電導磁石装置１４は、完全に軽量金属アルミニウムから作られる複数の気密コンテナ４０を有する。複数の気密コンテナ４０の各気密コンテナ４０は、約２５ｋｇ／ｍ３乃至３５ｋｇ／ｍ３の間のレンジのヘリウム充填量を永久的に収容する。これは、充填ノズルを通じて、室温の開状態のコンテナ４０の各々に、約２０５のバール圧力の圧縮ヘリウムガスを充填し、充填ノズルを締めることによって、達成される。
【００３４】
図２に示されるように、複数の気密コンテナ４０の各気密コンテナ４０は、少なくとも１つの動作状態において熱を受け取るために、４つのコイル巻線１６１−１６４のうちの少なくとも１つ及び／又は４つのコイル巻線１６１−１６４とは別の超電導部材４２１−４２５、４４のうちの１つと熱伝導接触する。
【００３５】
図３は、３０ｋｇ／ｍ３のヘリウム充填量を永久的に収容する気密コンテナ４０における温度に対する圧力条件及びエンタルピーレベルをそれぞれ示している。ガスタイプコンテナ４０が熱を受け取ると、ヘリウム充填量の温度及び圧力が上昇することに注意されたい。エンタルピーレベルに関する対数スケールは、熱のかなりの量が、ガスタイプのコンテナ４０によって受け取られることを示す。
【００３６】
このようにして、極低温温度での大きい熱容量が、例えば電力停止、極低温冷却装置の冷却液体の停止、極低温冷却装置メンテナンス、又は極低温冷却装置の回復可能な障害のようなイベントの発生の際に熱バッファとして提供されることができ、超電導磁石装置１４によって生成される静磁界Ｂ０は、安全措置としてランプダウンされる必要がない。
【００３７】
数値の一例が、本発明の利点を示す：容量１３．２ｌのガスタイプコンテナ４０及び３０ｋｇ／ｍ３のヘリウム充填量は、４００ｇのヘリウム量を永久的に収容し、これは、４．２Ｋの温度において、約５．０ｋＪ／Ｋの熱容量を生じさせる（約２５００ｋｇのスチールと等価）。５つのこのようなガスタイプコンテナ４０は、寒剤フリーな超電導磁石装置を動作させるのに適切である熱容量として、４．２Ｋで約２５．０ｋＪ／Ｋの熱容量を提供することができ、これは、１０ｌの液体ヘリウムに等価である。
【００３８】
図４は、本発明による超電導磁石装置４６の代替実施形態を概略的に示す。超電導磁石装置４６は、ガスタイプコンテナ４８の設計を除いて、直前の実施形態の超電導磁石装置１４に等しく設計される。従って、同じ参照数字が、超電導磁石装置１４の上述の実施形態と同一である図４の代替の実施形態のコンポーネントについて使用される。
【００３９】
代替の実施形態において、上述の実施形態より非常に小さいサイズの複数の気密コンテナ４８が、固体マトリクス材料５０により保持される。ここでも、ガスタイプコンテナ４８は、アルミニウムから作られ、約２５ｋｇ／ｍ３乃至３５ｋｇ／ｍ３の間のレンジのヘリウム充填量を永久的に収容する。収容されるヘリウム質量と、ヘリウム充填量のないガスタイプコンテナ４８の質量の比は、コンテナサイズから独立している。こうして、極低温温度の熱容量に関する同じ有利な特性が、上述の実施形態のより大きいガスタイプコンテナ４０の場合と同様に達成される。更に、熱は、ヘリウムに達するためにより小さい厚さの材料を通じて伝播しなければならないので、より大きい熱拡散係数が達成されることができる。
【００４０】
エポキシ樹脂が、固体マトリクス５０のために使用され、その硬化が行われる前に、複数のガスタイプコンテナ４８は、実質的に、エポキシ樹脂内に一様に配置された。機械的ストレスを軽減するために、エポキシ樹脂は更に、例えば微細粒の石英砂のような不活性フィラー材料を装填されることができる。エポキシ樹脂マトリクス５０を通じて、複数のガスタイプコンテナ４８は、４つのコイル巻線１６１−１６４、及び／又はコイル巻線１６１−１６４とは別個の超電導部材４２１−４２５、４４と熱伝導接触し、超電導コンタクト４２１−４２５及び超電導スイッチ４４として設計されるものである。
【００４１】
上述の実施形態の数値の例が、約１０ｌのレンジの気密コンテナ４０の一般的な容量について述べたのに対して、本実施形態の気密コンテナ４８の一般的な容量は、好適には、約０．１ｌ又はそれより小さい範囲にある。
【００４２】
本発明は、図面及び上述の説明において詳しく図示され記述される、このような図示及び記述は、制限的なものではなく、説明的又は例示的なものとして考えられるべきである。本発明は、開示された実施形態に制限されない。開示される実施形態に対する他の変更は、図面、開示及び添付の請求項の検討から、請求項に記載の本発明を実施する際に当業者によって理解され達成されることができる。請求項において、「含む、有する（comprising）」という語は、他の構成要素又はステップを除外せず、不定冠詞「a」又は「an」は、複数性を除外しない。特定の手段が相互に異なる従属請求項に列挙されているという単なる事実は、これらの手段の組み合わせが有利に使用されることができないことを示さない。請求項における参照符号は、請求項の範囲を制限するものとして解釈されるべきでない。
【符号の説明】
【００４３】
１０  磁気共鳴イメージングシステム、１２  スキャナユニット、１４  超電導磁石装置、１６  コイル巻線、１８  中心軸、２０  検査空間、２２  関心のある被検体、２４  磁気勾配コイルシステム、２６  制御ユニット、２８  無線周波数アンテナ装置、３０  無線周波数送信器、３２  送信／受信スイッチ、３４  無線周波数シールド、３６  患者テーブル、３８  コールドヘッド、４０  気密コンテナ、４２  超電導ジョイント、４４  超電導スイッチ、４６  超電導磁石装置、４８  気密コンテナ、５０  マトリクス、５２  電源。
【図１】
0006675385.tif 000002
【図２】
0006675385.tif 000003
【図３】
0006675385.tif 000004
【図４】
0006675385.tif 000005